【手続補正書】
【提出日】平成17年5月26日(2005.5.26)
【手続補正１】
【補正対象書類名】明細書
【補正対象項目名】全文
【補正方法】変更
【補正の内容】
【書類名】          明細書
【発明の名称】  空気調和機の室内機
【特許請求の範囲】
【請求項１】送風機と、熱交換器と、前記熱交換器の露受け部を備えるケーシングと、電装部とが外装部品で被覆されてなる空気調和機の室内機において、
前記外装部品を、上面と正面に吸込口を備えた吸込グリルと、背面と内側を開放した左右の側板とで構成してなることを特徴とする空気調和機の室内機。
【請求項２】前記吸込みグリルは、前記ケーシングの吹出口と露受け部間に設けられた軸構造により回動自在に設けられていることを特徴とする請求項１記載の空気調和機の室内機。
【請求項３】前記吸込グリルの本体側にエアフィルタを設けてなる請求項１または２記載の空気調和機の室内機。
【発明の詳細な説明】
【０００１】
【発明の属する技術分野】
本発明は空気調和機の室内機に係わり、詳しくは、同室内機の筐体構造に関する。
【０００２】
【従来の技術】
図７は従来の室内機の外観および内部構成の一例を示したものである。
この室内機の筐体２１はベース２２と、このベース２２に着脱可能に装着された前面パネル２３と、この前面パネル２３の前方に開閉自在に取付けられた吸込グリル２４とからなり、筐体２１の上部（前面パネル２３の上部および吸込グリル２４）には室内の空気を取り込むための吸込口２５が設けられ、前面下部には熱交換された空気を室内に送出するための吹出口２６が形成されている。
【０００３】
これら吸込口２５と吹出口２６とを結ぶ空気通路２７にはエアフィルタ２８と、前後に屈曲させた熱交換器２９と、同熱交換器２９で熱交換された空気を吹出口２６へ送出する送風ファン（クロスフローファン）３０等が配置され、吹出口２６の奥には室内への風向を左右に偏向する図示されてない風向板が設けられ、手前には室内への風向を上下に偏向する風向板３１が設けられている。また、筐体２１内部の一側には送風ファン３０を駆動するモータ３２等を収容した電装部が設けられている。
【０００４】
【発明が解決しようとする課題】
ところで、前記従来例において、筐体２１を構成する前面パネル２３には横方向に設けられた複数の梁２３ａと縦方向に設けられたエアフィルタ２８の取付ガイド２３ｂがあるため熱交換器２９の清掃が難しく、また、筐体２１の上部（前面パネル２３の上部および吸込グリル２４）に設けられている吸込口２５には埃がつきやすいが、素人（ユーザー）にとっては前面パネル２３だけでなく吸込グリル２４の着脱でさえ困難であるため、これらの清掃が十分に行えないという問題があった。また、室内機は高位置に設置されているのでエアフィルタ２８の着脱も容易ではなく、汚れたままで長期間使用されることが多かった。また、前面パネル２３は大きいため、その金型も大きなものとなりコスト高になっていた。
したがって、本発明においては、これらの問題点の解消を容易にした空気調和機の室内機を提供することを目的としている。
【０００５】
【課題を解決するための手段】
本発明は上記の課題を解決するためになされたものであり、送風機と、熱交換器と、前記熱交換器の露受け部を備えるケーシングと、電装部とが外装部品で被覆されてなる空気調和機の室内機において、前記外装部品を、上面と正面に吸込口を備えた吸込グリルと、背面と内側を開放した左右の側板とで構成してなる。
【０００６】
また、前記吸込みグリルは、前記ケーシングの吹出口と露受け部間に設けられた軸構造により回動自在に設けられている構成とする。
【０００７】
また、前記吸込グリルの本体側にエアフィルタを設けてなる構成としている。
【０００８】
【０００９】
【発明の実施の形態】
以下、本発明の実施の形態を図１〜図６に基づいて説明する。図１は室内機の外観を、図２は同室内機の構成部材の概略を示したものである。図において、１は筐体で、この筐体１の上部には室内の空気を取り込む吸込口２があり、下部には室内への風向を上下に偏向する風向板３を備えた吹出口４があり、吸込口２と吹出口４を結ぶ空気通路には図２に示すような熱交換器５と、同熱交換器５により熱交換された空気を吹出口４へ送出する送風ファン６等が設けられている。
【００１０】
筐体１は、熱交換器５が固定されるベース７と、背面と内側を開放した左右一対の側板８および９と、吹出口４とともに同吹出口４の上面に熱交換器５から流下する結露水を受けるための露受部１０を一体に設けてなるケーシング１１と、上面と前面とに吸込口２を備え、左右を側板８および９に被着するようにした吸込グリル１２とにより構成され、側板８および９には吸込グリル１２の厚みに対応した段差面８ａ、９ａが設けられている。また、ケーシング１１の一側には送風ファン６を駆動するモータ等を収容した電装部１３が配設される。
【００１１】
ケーシング１１の吹出口４とその上部の露受部１０との間には前方に向けて開口した空隙１４があるが、本発明においては、この空隙１４に左右一対の軸体１５Ａ、１５Ｂまたは軸受部を設ける一方、吸込グリル１２の下端に前記軸体１５Ａ、１５Ｂまたは軸受部に対応した軸受部１６または軸体を設けて両者を図３に示すように勘合させ、吸込グリル１２の開閉を可能にしている。
【００１２】
また、本発明においては、吸込グリル１２の背面側にエアフィルタ１７の取付ガイド１２ａおよびストッパー１２ｂを設けて、エアフィルタ１７の着脱（矢印方向）を容易にしている。
【００１３】
図４は吹出口４と露受部１０間の空隙１４の一方に設けられた軸体１５Ａと、これに対応する吸込グリル１２側の軸受部１６の形態を拡大図示したもので、軸体１５Ａにはその傾斜を防止する傾斜防止片１５ａが一体に形成され空隙１４内に固着されている。
【００１４】
図５は以上説明した軸体１５Ａと軸受部１６の関係を断面図により側面から示したもので、吸込グリル１２を上部に回動させていくと実線で示すような形態となり、開くと破線および図３に示すような形態となり、エアフィルタ１７の着脱が容易になるとともに、吸込グリル１２は取り外しができ、且つ、熱交換器５の前方は完全な開放状態となるので同熱交換器５の清掃も楽に行える。
【００１５】
図６は本発明の第２の実施の形態を示したもので、その特徴とするところは、吹出口４と露受部１０間の空隙１４に軸受部１７Ａを設け、これに対応する軸体１８を吸込グリル１２に設けたことが特徴となっており、軸受部１７Ａは左右一対の部材からなり、それぞれに軸受の傾斜を防止する傾斜防止片１７ａが一体に形成され、空隙１４の所定位置に固着されている。一方、軸体１８も左右一対からなり、吸込グリル１２の下端内面に一体に形成されている。
【００１６】
【発明の効果】
以上説明したような室内機であれば、吸込グリルの着脱および開閉が容易に行えるのでエアフィルタおよび吸込グリルの清掃が容易であるとともに、熱交換器の前方および上部には清掃の邪魔になる梁などが一つも無く、同熱交換器の清掃が容易に行えることにより、熱交換率の向上に好影響を及ぼすと同時に吹き出し空気が綺麗になるなど、多大の効果を奏する。
【図面の簡単な説明】
【図１】
本発明による室内機の外観斜視図である。
【図２】
本発明による室内機の構成部材の概略を示す斜視図である。
【図３】
本発明による構成部材を用いて組立られた室内機の前方内部を示す斜視図であ
る。
【図４】
本発明による室内機の要部拡大斜視図である。
【図５】
本発明による室内機の要部拡大断面図である。
【図６】
本発明による室内機の第２の実施の形態を示す要部拡大斜視図である。
【図７】
従来の室内機の概略構成を示す斜視図である。
【符号の説明】
１  筐体
２  吸込口
４  吹出口
５  熱交換器
６  送風ファン
７  ベース
８、９  側板
９Ａ  段差面
１０  露受部
１１  ケーシング
１２  吸込グリル
１２ａ  取付ガイド
１２ｂ  ストッパ
１３  電装部
１４  空隙
１５Ａ、１５Ｂ  軸体
１５ａ、１７ａ  傾斜防止片
１６、１７Ａ  軸受部